(57)【特許請求の範囲】
【請求項１】
所定長のケーブルに所定間隔をおいて複数のパッシブ型音響センサを配置してなるセンサアレイ部と、
前記センサアレイ部の一端に固定され前記センサアレイ部の一部を水底に固定するアンカーと、前記アンカーを着脱可能に支持する支持部材とを有する位置固定部と、
水中の自己位置を示す自己位置情報を取得する位置情報取得部と、水中における推進力を発生させる推進部と、水中で沈降又は浮上するための浮力を調整する浮力調整部とを有する本体部と、
を備える自律型無人潜水艇であるセンサ敷設装置であって、
前記本体部は、前記本体部が予め設定された前記アンカーの固定目標位置まで移動したときに前記アンカーを離間して前記センサアレイ部の一端を前記水底に固定させるように前記位置固定部を制御するとともに、前記本体部を予め設定された着底目標位置まで移動した後に、前記本体部を前記水底に着底させて、前記本体部、前記センサアレイ部及び前記アンカーが前記水底に直線状に敷設されるように前記本体部を制御する制御部を備えたことを特徴とするセンサ敷設装置。
【請求項２】
請求項１記載のセンサ敷設装置を２つ用い、前記各センサ敷設装置がそれぞれ水底に設置された中継器を介して情報処理装置と通信可能に接続される音源物体推定システムであって、
前記２つのセンサ敷設装置は、前記センサアレイ部で受信した前記音源物体から発せられた音の音波成分に応じた音響信号から前記方位角情報と前記音紋情報とを取得し、この取得した前記方位角情報と、前記音紋情報と、前記位置情報取得部で取得される自己位置情報とを前記中継器を介して前記情報処理装置に送信する制御部を互いに備え、
さらに、一方のセンサ敷設装置の中心を通る仮想基準線と、他方のセンサ敷設装置の中心を通る仮想基準線とが交点を持つように、前記各センサ敷設装置の前記本体部、前記センサアレイ部及び前記アンカーが共に前記水底に直線状に敷設され、
前記情報処理装置は、
前記音源物体の種類と当該物体が発する音の音波成分を示す音紋情報とを関連付けした状態でデータベース化された音紋情報データベースを記憶する記憶部と、
前記一方のセンサ敷設装置から送信された前記音紋情報に含まれる中心周波数と、前記他方のセンサ敷設装置から送信された前記音紋情報に含まれる中心周波数との比例関係と一致する音紋情報を前記音紋情報データベースから検索する処理と、
検索した結果、前記音紋情報データベースに、前記各センサ敷設装置の前記音紋情報に含まれる中心周波数同士の比例関係と一致する音紋情報が存在したときに、前記一致した音源物体の音紋情報に含まれる中心周波数と、前記一方のセンサ敷設装置の前記音紋情報に含まれる中心周波数と、前記他方のセンサ敷設装置の前記音紋情報に含まれる中心周波数とを用いて、下記式（１）により、前記一方のセンサ敷設装置に対する前記音源物体の相対速度及び前記他方のセンサ敷設装置に対する前記音源物体の相対速度をそれぞれ推定する処理と、
前記一方のセンサ敷設装置からの前記方位角情報と前記位置情報及び前記他方のセンサ敷設装置からの前記方位角情報と前記位置情報から前記音源物体の位置を示す音源物体位置情報を推定する処理と、
前記推定された音源物体位置情報と、推定した前記一方のセンサ敷設装置に対する前記音源物体の相対速度及び前記他方のセンサ敷設装置に対する前記音源物体の相対速度から前記音源物体の空間中における移動速度を示す絶対速度を推定する処理と、
を行う制御部を備えることを特徴とする音源物体推定システム。
（式１）ｆｃri＝ｃ／（ｃ−ｖ）・ｆｃdi
ここで、「ｆｃr 」はセンサ敷設装置から送信された音紋情報に含まれる中心周波数、「ｆｃd 」は音紋情報データベースの音紋情報に含まれる中心周波数、「ｖ」は音源物体のセンサアレイ部に対する相対速度、「ｃ」は音速を表し、「ｉ」は音源物体Ｓが発する複数の音の成分を示しｉ＝１，２，…，ｎとする。
【請求項３】
前記情報処理装置は、
補正用音波を前記センサアレイ部に送信する補正用音源と、
前記補正用音源の位置情報を取得するＧＰＳ受信部と、
前記センサアレイ部が前記補正用音波を受信することで算出される前記補正用音源の推定位置情報と、前記ＧＰＳ受信部で得られる前記補正用音源の真の自己位置情報とから前記センサ敷設装置の本体部の位置誤差を補正するための位置補正情報を取得し、この位置補正情報を前記中継器を介して前記センサ敷設装置に送信する処理制御部と、
を有する位置補正処理部を備えることを特徴とする請求項２記載の音源物体推定システム。
【請求項４】
請求項１記載のセンサ敷設装置を２つ用い、前記各センサ敷設装置がそれぞれ水底に設置された中継器を介して情報処理装置と通信可能に接続される音源物体推定システムにおける音源物体推定方法であって、
前記２つのセンサ敷設装置のうち、一方のセンサ敷設装置の中心を通る仮想基準線と、他方のセンサ敷設装置の中心を通る仮想基準線とが交点を持つように、前記各センサ敷設装置の前記本体部、前記センサアレイ部及び前記アンカーが共に前記水底に直線状に敷設するステップと、
前記一方のセンサ敷設装置が自己のセンサアレイ部で受信した前記音源物体から発せられた音の音波成分に応じた音響信号から前記方位角情報と前記音紋情報とを取得し、この取得した前記方位角情報と、前記音紋情報と、前記位置情報取得部で取得される自己位置情報とを前記中継器を介して前記情報処理装置に送信する第１の情報送信ステップと、
前記他方のセンサ敷設装置が自己のセンサアレイ部で受信した前記音源物体から発せられた音の音波成分に応じた音響信号から前記方位角情報と前記音紋情報とを取得し、この取得した前記方位角情報と、前記音紋情報と、前記位置情報取得部で取得される自己位置情報とを前記中継器を介して前記情報処理装置に送信する第２の情報送信ステップと、
前記情報処理装置が、前記一方のセンサ敷設装置から送信された前記音紋情報に含まれる中心周波数と、前記他方のセンサ敷設装置から送信された前記音紋情報に含まれる中心周波数との比例関係が一致する音紋情報を、前記音源物体の種類と当該物体が発する音の音波成分を示す音紋情報とを関連付けした状態でデータベース化された音紋情報データベースから検索する音源物体検索ステップと、
前記情報処理装置が、前記音源物体検索ステップによる検索結果により、前記音紋情報データベースに、前記各センサ敷設装置の前記音紋情報に含まれる中心周波数同士の比例関係と一致する音紋情報が存在したときに、前記一致した音源物体の音紋情報に含まれる中心周波数と、前記一方のセンサ敷設装置の前記音紋情報に含まれる中心周波数と、前記他方のセンサ敷設装置の前記音紋情報に含まれる中心周波数とを用いて、下記式（１）により前記一方のセンサ敷設装置に対する前記音源物体の相対速度及び前記他方のセンサ敷設装置に対する前記音源物体の相対速度をそれぞれ推定する相対速度推定ステップと、
前記情報処理装置が、前記一方のセンサ敷設装置からの前記方位角情報と前記位置情報及び前記他方のセンサ敷設装置からの前記方位角情報と前記位置情報から前記音源物体の位置を示す音源物体位置情報を推定する位置推定ステップと、
前記情報処理装置が、前記位置推定ステップで推定された前記音源物体位置情報と、推定した前記一方のセンサ敷設装置に対する前記音源物体の相対速度及び前記他方のセンサ敷設装置に対する前記音源物体の相対速度から前記音源物体の空間中における移動速度を示す絶対速度を推定する移動速度推定ステップと、
を含むことを特徴とする音源物体推定方法。
ｆｃri＝ｃ／（ｃ−ｖ）・ｆｃdi…（式１）
ここで、「ｆｃr 」はセンサ敷設装置から送信された音紋情報に含まれる中心周波数、「ｆｃd 」は音紋情報データベースの音紋情報に含まれる中心周波数、「ｖ」は音源物体のセンサアレイ部に対する相対速度、「ｃ」は音速を表し、「ｉ」は音源物体Ｓが発する複数の音の成分を示しｉ＝１，２，…，ｎとする。
【発明の詳細な説明】
【技術分野】
【０００１】
本発明は、ケーブルにパッシブ型音響センサを複数設けたセンサアレイを複数水底に敷設するセンサ敷設装置、該装置を用いて水底に敷設したセンサアレイを用いて水面又は水中に存在する音源物体が発した音から音源物体の推定及び該物体の位置や移動速度を推定する音源物体推定システム及び方法に関する。
【背景技術】
【０００２】
従来より、例えば船舶や海洋生物といった特定の音を発しながら水面や水中を移動する移動物体（以下、「音源物体」という）の位置を推定する技術が下記特許文献１、２に開示されている。
【０００３】
下記特許文献１には、音を発しながら水上及び水中を航行する物体（以下、「音源物体」という。）の位置をパッシブ的に推定する方法として、艦艇の底部に設置したハルソナーと、線状にセンサを配置した曳航式パッシブソナーを併用し、曳航式パッシブソナーの整相器の出力の中で探知している方位のみの整相ビーム信号を選択回路で取り出し、この選択回路の出力とハルソナーの整相器の出力との相関演算を相関演算回路で行うことで目標を探知する技術について開示されている。
【０００４】
また、下記特許文献２には、水中の観測水域に航空機から投下した水中センサを敷設用切り離し装置で水中センサの浮上部から切り離してセンサ本体部分を水中に敷設し、水中センサ本体部分に備えた水中無線機の通信可能範囲内に存在する他の水中センサ及び／又は水中通信ネットワーク端末との間で、水中通信によりセンサデータをはじめ任意のデータを送受信可能とし、最終的に、水底ケーブルを経由して陸上局と通信可能とする。また、陸上局からの水中センサの回収命令を水中無線機で受信した際に、回収用切り離し装置を作動させてアンカーから主要部分を切り離し、水中浮力体の浮力により水面に浮上させて回収する技術について開示されている。
【先行技術文献】
【非特許文献】
【０００５】
【特許文献１】特開平８−１８４６６１号公報
【特許文献２】特開２００７−３２３３９１号公報
【発明の概要】
【発明が解決しようとする課題】
【０００６】
しかしながら、特許文献１に開示される方法では、測定に用いる艦艇が高価であり、且つ有人であるため、コスト及び人的リスクの問題がある。
【０００７】
また、特許文献２の方法では、音響センサを水底から垂直に展張しているため、水平方向に鋭い指向性を持たせて音源物体の方位情報を高精度に取得するのは困難である。さらに、音源物体が移動する場合、音源物体から発する音の周波数はドップラー偏移するが、その偏移量は音源物体とセンサの位置関係及び音源物体速度で変化するため、それぞれのセンサで取得される周波数が異なってしまうという問題がある。
【０００８】
また、例えば特開２００７−１２１００８号公報で開示される技術において、使用される地震計を音源物体から発せられる音を検知する音響センサに置き換えることで広範囲を長期間に亘って音源物体の位置を特定することも可能であるが、このようなセンサネットワークを水底に恒久的に構築するには時間及びコストが必要となり迅速に展開することができない。また、この方法によって敷設した場合、万が一センサが故障して交換したいときに回収が困難である。
【０００９】
さらに、上記文献以外の方法として、指向性を持つパッシブソノブイ（以下、「ダイファーブイ」という。）を航空機から複数投下し、それぞれのダイファーブイから音源物体方位に直線を引くことで、各直線が交差する位置を音源物体の位置を推定する技術が知られているが、この方法では人的リスクの問題は軽減されるが、ダイファーブイは航空機から投下するため一般に小型であり、また単体での稼働時間及び探知距離の限界から広範囲を長期間に亘って捜索するには多量のダイファーブイを使い捨てなければならず、莫大なコストが掛かってしまう。
【００１０】
そこで、本発明は上記問題点に鑑みてなされたものであり、任意の監視区域に迅速に展開でき、さらにセンサアレイが故障した場合なども容易に交換できるセンサ敷設装置と、このセンサ敷設装置を用いて水底に敷設したセンサで人的リスクが少なく、且つ音源物体の方位情報及び音紋情報を長期間に亘って広範囲に取得して音源物体の種類の推定及び音源物体の位置や速度を高精度で推定することのできる音源物体推定システム及び方法を提供することを目的とするものである。
【課題を解決するための手段】
【００１１】
上記した目的を達成するため、請求項１記載のセンサ敷設装置は、所定長のケーブルに所定間隔をおいて複数のパッシブ型音響センサを配置してなるセンサアレイ部と、
前記センサアレイ部の一端に固定され前記センサアレイ部の一部を水底に固定するアンカーと、前記アンカーを着脱可能に支持する支持部材とを有する位置固定部と、
水中の自己位置を示す自己位置情報を取得する位置情報取得部と、水中における推進力を発生させる推進部と、水中で沈降又は浮上するための浮力を調整する浮力調整部とを有する本体部と、
を備える自律型無人潜水艇であるセンサ敷設装置であって、
前記本体部は、前記本体部が予め設定された前記アンカーの固定目標位置まで移動したときに前記アンカーを離間して前記センサアレイ部の一端を前記水底に固定させるように前記位置固定部を制御するとともに、前記本体部を予め設定された着底目標位置まで移動した後に、前記本体部を前記水底に着底させて、前記本体部、前記センサアレイ部及び前記アンカーが前記水底に直線状に敷設されるように前記本体部を制御する制御部を備えたことを特徴とする。
【００１２】
請求項２記載の音源物体推定システムは、請求項１記載のセンサ敷設装置を２つ用い、前記各センサ敷設装置がそれぞれ水底に設置された中継器を介して情報処理装置と通信可能に接続される音源物体推定システムであって、
前記２つのセンサ敷設装置は、前記センサアレイ部で受信した前記音源物体から発せられた音の音波成分に応じた音響信号から前記方位角情報と前記音紋情報とを取得し、この取得した前記方位角情報と、前記音紋情報と、前記位置情報取得部で取得される自己位置情報とを前記中継器を介して前記情報処理装置に送信する制御部を互いに備え、
さらに、一方のセンサ敷設装置の中心を通る仮想基準線と、他方のセンサ敷設装置の中心を通る仮想基準線とが交点を持つように、前記各センサ敷設装置の前記本体部、前記センサアレイ部及び前記アンカーが共に前記水底に直線状に敷設され、
前記情報処理装置は、
前記音源物体の種類と当該物体が発する音の音波成分を示す音紋情報とを関連付けした状態でデータベース化された音紋情報データベースを記憶する記憶部と、
前記一方のセンサ敷設装置から送信された前記音紋情報に含まれる中心周波数と、前記他方のセンサ敷設装置から送信された前記音紋情報に含まれる中心周波数との比例関係と一致する音紋情報を前記音紋情報データベースから検索する処理と、
検索した結果、前記音紋情報データベースに、前記各センサ敷設装置の前記音紋情報に含まれる中心周波数同士の比例関係と一致する音紋情報が存在したときに、前記一致した音源物体の音紋情報に含まれる中心周波数と、前記一方のセンサ敷設装置の前記音紋情報に含まれる中心周波数と、前記他方のセンサ敷設装置の前記音紋情報に含まれる中心周波数とを用いて、下記式（１）により、前記一方のセンサ敷設装置に対する前記音源物体の相対速度及び前記他方のセンサ敷設装置に対する前記音源物体の相対速度をそれぞれ推定する処理と、
前記一方のセンサ敷設装置からの前記方位角情報と前記位置情報及び前記他方のセンサ敷設装置からの前記方位角情報と前記位置情報から前記音源物体の位置を示す音源物体位置情報を推定する処理と、
前記推定された音源物体位置情報と、推定した前記一方のセンサ敷設装置に対する前記音源物体の相対速度及び前記他方のセンサ敷設装置に対する前記音源物体の相対速度から前記音源物体の空間中における移動速度を示す絶対速度を推定する処理と、
を行う制御部を備えることを特徴とする。
（式１）ｆｃri＝ｃ／（ｃ−ｖ）・ｆｃdi
ここで、「ｆｃr 」はセンサ敷設装置から送信された音紋情報に含まれる中心周波数、「ｆｃd 」は音紋情報データベースの音紋情報に含まれる中心周波数、「ｖ」は音源物体のセンサアレイ部に対する相対速度、「ｃ」は音速を表し、「ｉ」は音源物体Ｓが発する複数の音の成分を示しｉ＝１，２，…，ｎとする。
【００１３】
請求項３記載の音源物体推定システムは、請求項２記載の音源物体推定システムにおいて、前記情報処理装置は、
補正用音波を前記センサアレイ部に送信する補正用音源と、
前記補正用音源の正確な位置情報を取得するＧＰＳ受信部と、
前記センサアレイ部が前記補正用音波を受信することで算出される前記補正用音源の推定位置情報と、前記ＧＰＳ受信部で得られる前記補正用音源の真の自己位置情報とから前記センサ敷設装置の本体部の位置誤差を補正するための位置補正情報を取得し、この位置補正情報を前記中継器を介して前記センサ敷設装置に送信する処理制御部と、
を有する位置補正処理部を備えることを特徴とする。
【００１４】
請求項４記載の音源物体推定方法は、請求項１記載のセンサ敷設装置を２つ用い、前記各センサ敷設装置がそれぞれ水底に設置された中継器を介して情報処理装置と通信可能に接続される音源物体推定システムにおける音源物体推定方法であって、
前記２つのセンサ敷設装置のうち、一方のセンサ敷設装置の中心を通る仮想基準線と、他方のセンサ敷設装置の中心を通る仮想基準線とが交点を持つように、前記各センサ敷設装置の前記本体部、前記センサアレイ部及び前記アンカーを共に前記水底に直線状に敷設するステップと、
前記一方のセンサ敷設装置が自己のセンサアレイ部で受信した前記音源物体から発せられた音の音波成分に応じた音響信号から前記方位角情報と前記音紋情報とを取得し、この取得した前記方位角情報と、前記音紋情報と、前記位置情報取得部で取得される自己位置情報とを前記中継器を介して前記情報処理装置に送信する第１の情報送信ステップと、
前記他方のセンサ敷設装置が自己のセンサアレイ部で受信した前記音源物体から発せられた音の音波成分に応じた音響信号から前記方位角情報と前記音紋情報とを取得し、この取得した前記方位角情報と、前記音紋情報と、前記位置情報取得部で取得される自己位置情報とを前記中継器を介して前記情報処理装置に送信する第２の情報送信ステップと、
前記情報処理装置が、前記一方のセンサ敷設装置から送信された前記音紋情報に含まれる中心周波数と、前記他方のセンサ敷設装置から送信された前記音紋情報に含まれる中心周波数との比例関係が一致する音紋情報を、前記音源物体の種類と当該物体が発する音の音波成分を示す音紋情報とを関連付けした状態でデータベース化された音紋情報データベースから検索する音源物体検索ステップと、
前記情報処理装置が、前記音源物体検索ステップによる検索結果により、前記音紋情報データベースに、前記各センサ敷設装置の前記音紋情報に含まれる中心周波数同士の比例関係と一致する音紋情報が存在したときに、前記一致した音源物体の音紋情報に含まれる中心周波数と、前記一方のセンサ敷設装置の前記音紋情報に含まれる中心周波数と、前記他方のセンサ敷設装置の前記音紋情報に含まれる中心周波数とを用いて、下記式（１）により前記一方のセンサ敷設装置に対する前記音源物体の相対速度及び前記他方のセンサ敷設装置に対する前記音源物体の相対速度をそれぞれ推定する相対速度推定ステップと、
前記情報処理装置が、前記一方のセンサ敷設装置からの前記方位角情報と前記位置情報及び前記他方のセンサ敷設装置からの前記方位角情報と前記位置情報から前記音源物体の位置を示す音源物体位置情報を推定する位置推定ステップと、
前記情報処理装置が、前記位置推定ステップで推定された前記音源物体位置情報と、推定した前記一方のセンサ敷設装置に対する前記音源物体の相対速度及び前記他方のセンサ敷設装置に対する前記音源物体の相対速度から前記音源物体の空間中における移動速度を示す絶対速度を推定する移動速度推定ステップと、
を含むことを特徴とする。
（式１）ｆｃri＝ｃ／（ｃ−ｖ）・ｆｃdi
ここで、「ｆｃr 」はセンサ敷設装置から送信された音紋情報に含まれる中心周波数、「ｆｃd 」は音紋情報データベースの音紋情報に含まれる中心周波数、「ｖ」は音源物体のセンサアレイ部に対する相対速度、「ｃ」は音速を表し、「ｉ」は音源物体Ｓが発する複数の音の成分を示しｉ＝１，２，…，ｎとする。
【発明の効果】
【００１５】
本発明によれば、自律型無人潜水機であるセンサ敷設装置を用いるため、人的リスクを低減しつつ、任意の監視区域内の敷設位置に速やかに移動して精度良くセンサアレイ部を敷設することができ、またセンサアレイ部に故障が発生した場合でも容易に交換することができる。また、流れの影響を受けにくい水底に敷設することができるため、長期間に亘って音源物体の音紋情報を取得できる。さらに、敷設後はセンサアレイ部の移動が不要となるため、センサ敷設装置のエネルギー消費を減少させることができる。
【００１６】
さらに、一方のセンサ敷設装置の中心を通る仮想基準線と、他方のセンサ敷設装置の中心を通る仮想基準線とが交点を持つように、各センサ敷設装置の本体部、センサアレイ部及びアンカーを水底に直線状に敷設し、この敷設状態で各センサアレイ部が取得した音紋情報及び方位角情報と位置情報取得部で取得される自己位置情報とを情報処理装置に送信することで、情報処理装置では音源物体の種類の推定と、音源物体の位置及び移動速度をパッシブ的に推定することができる。
【００１７】
また、センサアレイ部が直線状から比較的少ない誤差範囲でずれた場合やセンサ敷設装置の位置が目標とする着底目標位置に着底できなかった場合に、補正用音源から送信した補正用音波をセンサアレイ部に送信し、センサアレイ部がこの補正用音波を受信することで算出される補正用音源の推定位置情報と、ＧＰＳ受信部で得られる補正用音源の真の自己位置情報とから、位置補正対象となるセンサ敷設装置の本体部の位置誤差を補正するための位置補正情報を取得し、この取得した位置補正情報を中継器を介してセンサ敷設装置に送信する機能を有する位置補正処理部が情報処理装置に具備されているため、センサアレイ部のずれや本体部の着底位置のずれを容易に補正することができる。
【図面の簡単な説明】
【００１８】
【図１】本発明に係る音源物体推定システムの機能ブロック図である。
【図２】センサアレイ部で取得される音源物体の音紋情報（取得音紋）の時間−周波数特性の一例を示す図である。
【図３】同システムに使用されるセンサ敷設装置を用いてセンサアレイを敷設した状態を模式的に示した図である。
【図４】センサ敷設装置によるセンサアレイ敷設時の一連の流れを模式的に示した図である。
【発明を実施するための形態】
【００１９】
以下、本発明を実施するための形態について、添付した図面を参照しながら詳細に説明する。また、この実施の形態によりこの発明が限定されるものではなく、この形態に基づいて当業者などによりなされる実施可能な他の形態、実施例及び運用技術などはすべて本発明の範疇に含まれる。
【００２０】
［１．システム構成について］
まず、本発明に係る音源物体推定システムの構成について説明する。
図１に示すように、本発明に係る音源物体推定システム１は、自律型無人潜水機（Unmanned Underwater Vehicles：ＵＵＶ) である複数のセンサ敷設装置１０（本実施形態では２式使用する）と、センサ敷設装置１０と情報処理装置３０との間で各種情報の中継を行う中継器２０と、各センサ敷設装置１０から中継器２０を介して送信される各種情報に基づき音源物体Ｓの推定処理（音源物体Ｓの種類の推定処理や、音源物体Ｓの位置・移動速度の推定処理など）を行うとともに敷設したセンサアレイの敷設位置を補正するための位置補正情報をセンサ敷設装置１０に出力する情報処理装置３０と、で概略構成される。
【００２１】
なお、本明細書における「音源物体Ｓ」とは、例えば海洋生物や船舶のように複数の音を発しながら任意の監視区域内における水面や水中を移動する移動物体である。
【００２２】
また、音源物体Ｓが発する音は、それぞれ固有の音波成分（中心周波数、帯域幅、中心周波数のゆらぎ）を有し、これら音波の成分を総じて「音紋情報」として定義する。図２には、ある音源物体Ｓが発する音の音紋情報の時間−周波数特性の一例を示しており、図示のように各音（音波）はそれぞれ中心周波数ｆｃd1，ｆｃd2，…，ｆｃdn、帯域幅ｆｂ1 ，ｆｂd2，…，ｆｂdn、中心周波数のゆらぎｆσd1，ｆσd2，…，ｆσdnを有している。なお、音源物体Ｓの種類によってこの音紋情報は異なる。
【００２３】
＜センサ敷設装置＞
センサ敷設装置１０は、本体部１１と、センサアレイ部１２と、位置固定部１３とを備え、予め設定された水底の所定位置にセンサアレイ部１２を敷設するため水中や水面を自由に航行可能な自律型無人潜水機（Unmanned Underwater Vehicles：ＵＵＶ) である。
【００２４】
なお、本システムによって音源物体Ｓの位置及び移動速度を推定するため、図３に示すように、水面上から水底を平面視したときに２式のセンサ敷設装置１０（１０Ａ、１０Ｂ）をそれぞれ直線状に敷設し、さらに直線状に敷設されたセンサ敷設装置１０Ａの中心を通る仮想基準線Ｌ１が、センサ敷設装置１０Ｂの中心を通る仮想基準線Ｌ２上に交わって交点Ｐを持つように敷設する必要がある。また、複数のセンサ敷設装置１０を水中に投入して、その中から任意のセンサ敷設装置１０同士が上記条件を満たすように敷設されていればよい。
【００２５】
本体部１１は、推進部１１Ａと、位置情報取得部１１Ｂと、浮力調整部１１Ｃと、制御部１１Ｄと、電源部１１Ｅと、センサ格納部１１Ｆと、通信部１１Ｇとを備えている。
【００２６】
推進部１１Ａは、スクリュープロペラなどの推進器１１Ａａと、推進器１１Ａａを回転駆動させるモータ等の第１の動力装置１１Ａｂと、針路を変えるために推進器１１Ａａの向きを所定方向に可変する第２の動力装置１１Ａｃとで構成される。推進部１１Ａは、設定された目標位置情報に基づき所定の目標位置まで移動する際に制御され、センサ敷設装置１０を所定方向に推進させる。
【００２７】
位置情報取得部１１Ｂは、加速度計とジャイロからなり起点からの移動距離から自己の位置と速度を取得する慣性航法装置１１Ｂａと、航行方位情報を取得する方位計１１Ｂｂと、ＧＰＳ（Global Positioning System ）衛星等からの電波を利用して水面上における自己の現在位置情報を取得するＧＰＳ受信部１１Ｂｃと、自己の深度を取得する深度計１１Ｂｄとで構成され、水面又は水中航行時に必要なセンサ敷設装置１０の自己位置情報を算出（検出）する。
【００２８】
浮力調整部１１Ｃは、水を出し入れすることで浮上・沈降に必要な浮力を調整するバラストタンク１１Ｃａと、浮上に必要な浮力を得るためにバラストタンク１１Ｃａに空気を供給するボンベ１１Ｃｂで構成され、センサ敷設装置１０が所望の深度に浮上・沈降する際にバラストタンク１１Ｃａ内の水量や空気量が適宜調整される。
【００２９】
制御部１１Ｄは、例えばＣＰＵ（Central Processing Unit ）などのプロセッサや揮発性／不揮発性メモリなどの主記憶装置を備える中央処理装置で構成される。制御部１１Ｄは、センサ敷設装置１０を構成する各部の駆動に必要なコンピュータプログラムや各種アプリケーションソフトウェアを読み込んでプログラム処理することでセンサ敷設装置１０全体の制御処理及び各種処理を実行する。
【００３０】
また、制御部１１Ｄは、予め設定された目標位置情報（アンカー１３ａを水底に着底及び固定させる本体部１１の到達目標位置を示す「固定目標位置情報」と、位置固定部１３を固定した後に本体部１１を水底に着底させる到達目標位置を示す「着底目標位置情報」との２地点の位置情報）に基づき、位置情報取得部１１Ｂで取得される自己の位置情報を利用して推進部１１Ａ及び浮力調整部１１Ｃを適宜制御しながら本体部１１を目標の位置まで移動させる。
【００３１】
すなわち、制御部１１Ｄは、図４（ａ）に示すように目標位置情報に含まれる固定目標位置情報に基づき、本体部１１が所定の固定目標位置まで移動するように、位置情報取得部１１Ｂで取得される自己位置情報を利用して推進部１１Ａ及び浮力調整部１１Ｃを適宜制御する。そして、図４（ｂ）に示すように、制御部１１Ｄは、本体部１１が固定目標位置に到着すると、支持部材１３ｂを駆動してアンカー１３ａを離間させる。
【００３２】
また、制御部１１Ｄは、図４（ｃ）に示すように、位置固定部１３が水底に着底及び固定すると、目標位置情報に含まれる着底目標位置情報に基づき、本体部１１が予め設定された着底目標位置まで移動するように、位置情報取得部１１Ｂで取得される自己位置情報を利用して推進部１１Ａ及び浮力調整部１１Ｃを適宜制御する。そして、図４（ｃ）に示すように、本体部１１が着底目標位置に到着すると、本体部１１を水底に着底させる。
【００３３】
これにより、センサアレイ部１２の一端が位置固定部１３で位置固定された状態でセンサ格納部１１Ｆから引き出され、水底を平面視したときに本体部１１、センサアレイ部１２及び位置固定部１３が直線状となるようにセンサアレイ部１２が敷設される。また、これと同時に、位置情報取得部１１Ｂで音響センサ１２ｂの敷設位置情報を記録する。
【００３４】
また、制御部１１Ｄは、情報処理装置３０から受信した位置補正情報や再展張指令に従って、本体部１１を適切な着底位置まで移動させたり、センサアレイ部１２をセンサ格納部１１Ｆで巻き上げながら浮上後に着底して再展張させたりするように、位置情報取得部１１Ｂで取得される位置情報を利用して推進部１１Ａ、浮力調整部１１Ｃ、センサ格納部１１Ｆを適宜制御する。
【００３５】
さらに、制御部１１Ｄは、センサアレイ部１２から出力された各音響センサ１２ｂからの音響信号を用いて、センサアレイ部１２の中心位置にある音響センサ１２ｂを基準とした音源物体Ｓの方位角（方位角情報）を取得するとともに、音源物体Ｓが発する音の音紋情報を取得し、取得した方位角情報、音紋情報及び位置情報取得部１１Ｂで取得されるセンサ敷設装置１０の自己位置情報を、通信部１１Ｇを介して情報処理装置３０に送信する。
【００３６】
制御部１１Ｄで取得される音源物体Ｓの方位角は、センサアレイ部１２の各音響センサ１２ｂで取得した音響信号の位相差（すなわち、隣り合う音響センサ１２ｂ間の距離に応じた、その音響センサ１２ｂとの音波の収音時期のずれの大きさ）を用いることでセンサアレイ部１２の中心位置にある音響センサ１２ｂを基準とした音源物体Ｓの方位角が一意に特定される。
【００３７】
なお、以下の説明において、本システムにおいて使用されるセンサ敷設装置１０のうち、センサ敷設装置１０Ａが具備するセンサアレイ部１２を用いて取得された方位角（方位角Ａ）情報を「方位角情報Ａ」、位置情報取得部１１Ｂで取得される自己の位置情報を「自己位置情報Ａ」とする。
また、センサ敷設装置１０Ｂが具備するセンサアレイ部１２を用いて取得された方位角（方位角Ｂ）の情報を「方位角情報Ｂ」、位置情報取得部１１Ｂで取得される自己の位置情報を「自己位置情報Ｂ」とする。
【００３８】
制御部１１Ｄで取得される音源物体Ｓの音紋情報は、音源物体Ｓの移動に伴うドップラー偏移によりセンサアレイ部１２で取得される中心周波数（ｆｃr ）帯域幅（ｆｂr ）、中心周波数のゆらぎ（ｆσr ）が、音源物体Ｓのセンサアレイ部１２に対する相対速度に応じて変化するため、音源物体Ｓが発する複数の音の中心周波数（ｆｃd ）、帯域幅（ｆｂd ）、中心周波数のゆらぎ（ｆσd ）を下記式（１）〜（３）を用いて算出し、算出した各値を集約した情報を音源物体Ｓの音紋情報として取得する。
（式１）
ｆｃri＝ｃ／（ｃ−ｖ）・ｆｃdi
（式２）
ｆｂri＝ｃ／（ｃ−ｖ）・ｆｂdi
（式３）
ｆσri＝ｃ／（ｃ−ｖ）・ｆσdi
なお、上記各式において、「ｖ」は音源物体Ｓのセンサアレイ部１２に対する相対速度、「ｃ」は音速を表し、「ｉ」は音源物体Ｓが発する複数の音の成分を示しｉ＝１，２，…，ｎとする。
【００３９】
なお、以下の説明において、本システムにおいて使用されるセンサ敷設装置１０のうち、センサ敷設装置１０Ａが具備するセンサアレイ部１２から取得された中心周波数を「ｆｃA 」、帯域幅を「ｆｂA 」、中心周波数のゆらぎを「ｆσA 」とし、これらを集約して「音紋情報Ａ」とする。
また、センサ敷設装置１０Ｂが具備するセンサアレイ部１２から取得された中心周波数を「ｆｃB 」、帯域幅を「ｆｂB 」、中心周波数のゆらぎを「ｆσB 」とし、これらを集約して「音紋情報Ｂ」とする。
【００４０】
電源部１１Ｅは、二次電池（例えばリチウムイオン、リチウムイオンポリマー、ニッケル・水素等の蓄電池）や燃料電池などで構成され、センサ敷設装置１０を構成する各部に駆動電源を供給する。
【００４１】
センサ格納部１１Ｆは、センサアレイ部１２を構成するケーブル１２ａの一端がドラムに接続された状態で巻回して収納する回転ドラムで構成され、本体部１１の所定箇所（例えば本体部１１の後方）に設置される。センサ格納部１１Ｆは、センサアレイ部１２を敷設する際にケーブル１２ａの引き出し処理と巻回処理とを適宜行う。
【００４２】
また、センサアレイ部１２のケーブル１２ａが長いと、センサアレイ部１２を敷設する際に絡まってしまう可能性があるため、センサ格納部１１Ｆの構造として、例えば回転ドラムの構造を本体の進行方向に対し回転ドラムの回転軸を垂直にすることで、ケーブル１２ａのねじれやキンク等が生じることなくセンサアレイ部１２を敷設することが可能となる。
【００４３】
さらに、敷設区域において、音源物体Ｓの音紋情報の取得が不要となった場合は、センサ格納部１１Ｆからセンサアレイ部１２を切り離すこともできる。
【００４４】
通信部１１Ｇは、光ケーブルを介した有線通信又は音波による無線通信が可能な通信機器で構成され、センサ敷設装置１０と中継器２０との間で各種情報の通信を行う。
【００４５】
センサアレイ部１２は、ケーブル１２ａに所定間隔をおいて複数のパッシブ型音響センサ１２ｂ１２ｂ（ハイドロフォン）が設置された鋭い水平指向性を有するパッシブアレイセンサである。センサアレイ部１２は、各音響センサ１２ｂが取得した音源物体Ｓが発する音（音波）を受信し、この受信した音の音波成分に応じた電気信号を音響信号として制御部１１Ｄに出力する。
【００４６】
位置固定部１３は、センサアレイ部１２の一端と接続され、センサアレイ部１２の一部を水底等の一定の位置に固定するためのアンカー１３ａと、本体部１１の所定箇所に設置されアンカー１３ａを着脱可能に支持する支持部材１３ｂとで構成される。位置固定部１３は、本体部１１が固定目標位置に到達すると、制御部１１Ｄの制御により、支持部材１３ｂを駆動してアンカー１３ａを離間して水底に着底及び固定する。これにより、センサアレイ部１２の一端が水底に位置固定される。
【００４７】
なお、アンカー１３ａは、センサアレイ部１２の一端の位置を決定するため、水流等の影響により動くことがないように、敷設位置の底質に合わせ、櫛形もしくは鉤型などの形状で成形するのが好ましい。また、支持部材１３ｂは、アンカー１３ａがセンサ格納部１１Ｆを覆ってセンサ敷設装置１０の本体部１１と一体の構造物となるような位置に設置することで、敷設前のセンサアレイ部１２を保護することができる。
【００４８】
＜中継器＞
中継器２０は、センサ敷設装置１０と情報処理装置３０との間で通信される各種情報を中継するため、センサ敷設装置１０の通信部１１Ｇとの間の通信と情報処理装置３０の通信部３１との間の通信を行うために必要な通信インターフェースを備えた通信機器で構成される。
【００４９】
なお、中継器２０は、通信部１１Ｇと通信部３１の間の距離が中継器２０の通信到達距離と比べて大きい場合には、中継器２０を複数介して通信すればよく、また中継器２０がその他複数の中継器２０や複数の通信部１１Ｇと多重通信してもよい。
【００５０】
＜情報処理装置＞
情報処理装置３０は、船舶の監視室に設置されるＰＣ（personal computer ）のような情報処理端末で構成され、通信部３１を介して中継器２０との間で各種情報の通信を行う。
【００５１】
情報処理装置３０は、主にセンサ敷設装置１０から送信された音紋情報から音源物体Ｓを特定する処理と、複数のセンサ敷設装置１０から送信された方位角情報及び位置情報から音源物体Ｓの位置及び絶対速度（移動速度）を推定する処理とを行う物体推定処理部３２と、主に敷設したセンサアレイ部１２が水流等によって直線状態を維持できないときや敷設位置にずれが生じている場合にセンサ敷設装置１０を正しい位置に移動させ補正するキャリブレーション処理を行う位置補正処理部３３とを備えている。
【００５２】
なお、本形態では、情報処理装置３０に物体推定処理部３２と、位置補正処理部３３とを一体に具備する構成として説明するが、各部を別体にした構成（すなわち、情報処理端末を２台使用して一方の端末に物体推定処理部３２の機能、他方の端末に位置補正処理部３３の機能を具備する構成）としてもよい。
【００５３】
通信部３１は、光ケーブルを介した有線通信又は音波による無線通信が可能な通信機器で構成され、中継器２０との間で各種情報の通信を行う。
【００５４】
物体推定処理部３２は、処理制御部３２ａと、記憶部３２ｂとを備え、各センサ敷設装置１０Ａ、１０Ｂから送信されたそれぞれの方位角情報及び音紋情報から、音源物体Ｓの種類、位置及び移動速度を推定する。
【００５５】
処理制御部３２ａは、例えばＣＰＵ（Central Processing Unit ）などのプロセッサや揮発性／不揮発性メモリなどの主記憶装置を備える中央処理装置で構成され、各センサ敷設装置１０Ａ、１０Ｂから送信されたそれぞれの方位角情報（方位角情報Ａ、Ｂ）及び音紋情報（音紋情報Ａ、Ｂ）から、音源物体Ｓの種類、位置及び移動速度の推定処理を行う。
【００５６】
処理制御部３２ａは、センサ敷設装置１０Ａ、１０Ｂから受信した音紋情報Ａ、Ｂに含まれる各音の中心周波数の比が、下記式（４）の関係を満たす音紋情報を、記憶部３２ｂに記憶される音紋データベースから検索して音源物体Ｓの種類の推定処理を行う。
（式４）
ｆｃd1：ｆｃd2：…：ｆｃdn＝ｆｃA1：ｆｃA2…ｆｃAn＝ｆｃB1：ｆｃB2…ｆｃBn
なお、上記式４において、「ｆｃA 」は２式使用するセンサ敷設装置１０のうちのセンサ敷設装置１０Ａが具備するセンサアレイ部１２から取得された音紋情報Ａに含まれる中心周波数の値であり、「ｆｃB 」はセンサ敷設装置１０Ｂが具備するセンサアレイ部１２から取得された音紋情報Ｂに含まれる中心周波数の値である。また、「ｉ」は音源物体Ｓが発する複数の音の成分を示し、ｉ＝１，２，…，ｎとする。
【００５７】
処理制御部３２ａは、検索した結果、一致する音紋情報が存在したときは音源物体Ｓの種類を特定し、次に音紋情報データベース内で該当した音源物体Ｓの音紋情報の中心周波数と、センサ敷設装置１０Ａ、１０Ｂでそれぞれ取得した音紋情報Ａ、Ｂにおける中心周波数から、上記式（１）に基づいてセンサ敷設装置１０Ａ、１０Ｂに対する音源物体Ｓの相対速度ｖを推定する。つまり、特定された音源物体Ｓの音紋情報の中心周波数ｆｃi とセンサ敷設装置１０Ａで取得されたｆｃA に基づいてセンサ敷設装置１０Ａに対する音源物体Ｓの相対速度をｖA を推定し、特定された音源物体Ｓの音紋情報の中心周波数ｆｃi とセンサ敷設装置１０Ｂで取得されたｆｃB に基づいてセンサ敷設装置１０Ａに対する音源物体Ｓの相対速度をｖB を推定する。
【００５８】
なお、中心周波数に加え、帯域幅及び中心周波数のゆらぎを用いて、上記式（２）、（３）に基づき相対速度ｖを推定することで、相対速度ｖの推定精度をさらに向上させることができる。
【００５９】
また、音紋情報Ａ、Ｂには、音紋情報データベースに収録される音源物体Ｓの音紋の全ての成分ｉ＝１、２、・・・、ｎを含む必要はなく、最低でも１つの共通する成分ｉを含んでいれば相対速度ｖA 、ｖB の推定は可能である。
【００６０】
さらに、処理制御部３２ａは、センサ敷設装置１０Ａ、１０Ｂの自己位置情報Ａ、Ｂ及び各敷設装置１０Ａ、１０Ｂで取得された方位角情報Ａ、Ｂより、音源物体Ｓの位置を示す音源物体位置情報を推定する。そして、推定された音源物体位置情報と、上記推定した相対速度ｖA 及びｖB から、音源物体Ｓの空間中（水中又は水面）における移動速度を示す絶対速度Ｖを推定する。
なお、間隔をおいて音源物体Ｓの位置及び相対速度ｖA 及びｖB の推定を繰り返し、カルマンフィルタ等を用いることで音源物体Ｓの位置及び絶対速度Ｖの推定精度を向上させることができる。
【００６１】
また、処理制御部３２ａは、受信した音紋情報Ａ及び音紋情報Ｂにおけるそれぞれの中心周波数の比と一致する中心周波数の比を有する音源物体Ｓが、記憶部３２ｂに記憶される音紋情報データベースに存在しなかった場合、音源物体Ｓの種類は不明となるが、音紋情報Ａと音紋情報Ｂに最低でも２つの共通する成分ｉが存在し、例えばｉが１、２のときに「ｆｃA1：ｆｃA2＝ｆｃB1：ｆｃB2」が成立すれば、同一の音源物体Ｓが発した音と推定でき、方位角情報Ａ、Ｂから音源物体Ｓの位置を推定できる。長時間観測を続けることで音源物体Ｓの推定位置の時間変化から絶対速度Ｖ、相対速度ｖA 及びｖB が推定でき、下記（５）〜（８）に基づきドップラー偏移を受ける前の音源物体Ｓの音の中心周波数ｆｃd が推定できる。推定されたｆｃd の情報は、新たな音源物体Ｓとして音紋情報データベースに登録される。
【００６２】
（式５）
ｆｃA1＝ｃ／（ｃ−ｖA ）・ｆｃ1 
（式６）
ｆｃB1＝ｃ／（ｃ−ｖB ）・ｆｃ1 
（式７）
ｆｃA2＝ｃ／（ｃ−ｖA ）・ｆｃ2 
（式８）
ｆｃB2＝ｃ／（ｃ−ｖB ）・ｆｃ2 
【００６３】
また、音紋情報Ａと音紋情報Ｂに共通する成分ｉが１つしか存在しない場合も、理論的には中心周波数、帯域幅及び中心周波数のゆらぎの間に、下記式（９）が成立するため、同一の音源物体Ｓが発した音と推定でき、音源物体Ｓの位置、絶対速度、相対速度ｖA 及びｖB の推定が可能である。しかしながら、帯域幅及び中心周波数のゆらぎの絶対値は、一般に中心周波数よりかなり小さく、ここから推定する相対速度ｖA 及びｖB の誤差は大きくなるため、共通成分ｉは多い方がよい。
（式９）
ｆｃA1：ｆｃB1＝ｆｂA1：ｆｂB1＝ｆσA1：ｆσB1
【００６４】
記憶部３２ｂは、ＨＤＤ（Hard Disk Drive ）又はフラッシュメモリ等の補助記憶装置で構成され、音源物体Ｓの種類（名称）と音紋情報とを関連付けした状態でデータベース化された音紋情報データベースを記憶する。
【００６５】
位置補正処理部３３は、所定波長の音波を補正用音波としてセンサアレイ部１２に送信する補正用音源３３ａと、ＧＰＳ（Global Positioning System ）衛星等からの電波を利用して補正用音源３３ａの正確な位置情報を取得するＧＰＳ受信機からなるＧＰＳ受信部３３ｂと、例えばＣＰＵ（Central Processing Unit ）などのプロセッサや揮発性／不揮発性メモリなどの主記憶装置を備える中央処理装置で構成されセンサ敷設装置１０に対して送信する位置補正情報の作成及び該情報の送信処理と再展張指令の出力処理を実行する処理制御部３３ｃとを備えている。
【００６６】
位置補正処理部３３は、センサアレイ部１２が直線状から比較的少ない誤差範囲でずれた場合やセンサ敷設装置１０の本体部１１の位置が、目標とする着底目標位置に着底できなかった場合に、この位置誤差を補正するため、補正用音源３３ａから送信した補正用音波をセンサアレイ部１２に送信し、センサアレイ部１２がこの補正用音波を受信することで算出される補正用音源３３ａの推定位置情報と、ＧＰＳ受信部３３ｂで得られる補正用音源３３ａの自己位置情報とから、位置補正対象となるセンサ敷設装置１０の位置誤差を補正するための位置補正情報を取得し、この取得した位置補正情報を中継器２０を介してセンサ敷設装置１０に送信する。
【００６７】
また、センサアレイ部１２が直線状から蛇行して大幅なずれが生じた場合など、前項の補正処理では目標音源位置の推定誤差を補正しきれない場合は、中継器１９を介してセンサ敷設装置１０に再展張指令を送信する。センサ敷設装置１０は受信した再展張指令に基づき、そのまま浮上又はセンサアレイ部１２をセンサ格納部１１Ｆで巻き上げながら浮上後に着底することで、再びセンサアレイ部１２を直線状に展張することができる。
【００６８】
［２．処理動作について］
次に、上述した音源物体推定システム１の音源推定処理に関する一連の処理動作について説明する。
ここでは、センサアレイ部１２を水底に２式敷設する「センサアレイ敷設処理」と、センサアレイ敷設後に音源物体Ｓから音紋情報を取得する「音紋情報取得処理」と、水底に敷設した各センサ敷設装置１０Ａ、１０Ｂから受信した音紋情報Ａ、Ｂから音源物体Ｓの種類特定及び音源物体Ｓの位置及び移動速度を推定する「音源物体推定処理」について説明する。
【００６９】
＜センサアレイ敷設処理＞
２式のセンサ敷設装置１０Ａ、１０Ｂのうち、まずセンサ敷設装置１０Ａを展開するため、水中に投入する直前に、ＧＰＳ受信部１１Ｂｃで正確な位置情報を取得する。また、投入後は、バラストタンク１１Ｃａに水を注入することで、センサ敷設装置１０自体を沈降させ、同時に慣性航法装置１１Ｂａを使用して、センサ敷設装置１０の位置情報を推定しながらアンカー１３ａの固定目標位置まで航行する。その際、方位計１１Ｂｂ及び深度計１１Ｂｄからそれぞれ方位及び深度の正確な情報が更新される。
【００７０】
次に、アンカー１３ａの固定目標位置に到着すると、支持部材１３ｂを駆動してアンカー１３ａを離間させて水底に着底及び固定させる。次に、本体部１１の着底目標位置に移動するが、その際、移動に合わせてセンサ格納部１１Ｆからセンサアレイ部１２を引き出し、同時に慣性航法装置１１Ｂａで音響センサ１２ｂの敷設位置情報を記録しながら、水底を平面視したときに本体部１１、センサアレイ部１２及びアンカー１３ａが直線状になるようにセンサアレイ部１２を敷設する。そして、センサ敷設装置１０が着底目標位置に到着すると、本体部１１を水底に着底させる。
【００７１】
また、上記動作に沿って、センサ敷設装置１０Ｂも同様に展開する。このとき、図３に示すように、センサ敷設装置１０Ｂは、自己の中心を通る仮想基準線Ｌ２が水底に直線状に敷設されたセンサ敷設装置１０Ａの中心を通る仮想基準線Ｌ１と交わって交点Ｐを持つように敷設する。これにより、音源物体Ｓの位置及び移動速度の推定に必要な音紋情報を取得可能な状態でセンサ敷設装置１０Ａ、１０Ｂが敷設される。
【００７２】
＜音紋情報取得処理＞
水底にセンサアレイ部１２を敷設したセンサ敷設装置１０Ａは、音源物体Ｓが発する音（音波）をセンサアレイ部１２で受信し、各音の音波成分を含む音響信号から音源物体Ｓが発する音に起因する方位角情報Ａと音紋情報Ａを取得する。そして、取得した方位角情報Ａ、音紋情報Ａ及び位置情報取得部１１Ｂで取得されるセンサ敷設装置１０Ａの自己位置情報Ａとを、中継器２０を介して情報処理装置３０に送信する。
【００７３】
同様に、センサ敷設装置１０Ｂは、音源物体Ｓが発する音（音波）をセンサアレイ部１２で受信し、各音の音波成分を含む音響信号から音源物体Ｓが発する音に起因する方位角情報Ｂと音紋情報Ｂを取得する。そして、取得した方位角情報Ｂ、音紋情報Ｂ及び位置情報取得部１１Ｂで取得されるセンサ敷設装置１０Ｂの自己位置情報Ｂとを、中継器２０を介して情報処理装置３０に送信する。
【００７４】
＜音源物体推定処理＞
情報処理装置３０は、センサ敷設装置１０Ａから送信された音紋情報Ａに含まれる各音の中心周波数と、センサ敷設装置１０Ｂから送信された音紋情報Ｂに含まれる各音の中心周波数との比例関係と一致する音源物体Ｓを、記憶部３２ｂに記憶される音紋データベースから検索する。
【００７５】
検索した結果、一致する音紋情報が存在したときは音源物体Ｓの種類が特定され、この特定された音源物体Ｓの音紋情報の中心周波数と、センサ敷設装置１０Ａ、１０Ｂでそれぞれ取得した音紋情報Ａ、Ｂにおける中心周波数から相対速度ｖA 、ｖB をそれぞれ推定する。
【００７６】
次に、センサ敷設装置１０Ａ、１０Ｂの自己位置情報Ａ、Ｂ及び各敷設装置１０Ａ、１０Ｂで取得された方位角情報Ａ、Ｂより、音源物体Ｓの位置を示す音源物体位置情報を推定する。そして、推定された音源物体位置情報と、上記推定した相対速度ｖA 及びｖB から、音源物体Ｓの空間中（水中又は水面）における絶対速度Ｖを推定する。これにより、音源物体Ｓの種類、位置及び移動速度を推定することができる。
【００７７】
また、音源物体推定処理が終了すると、センサ敷設装置１０に対して情報処理装置３０から浮上指示が送信される。そして、センサ敷設装置１０は、浮力調整部１１Ｃを調整して水面まで浮上して回収される。
【００７８】
なお、センサ敷設装置１０の不具合又は電力の消費等により、正常な動作の継続が困難になると見込まれた場合も同様に浮上させ、回収し、新たなセンサ敷設装置１０を投入してセンサアレイ部１２を再度敷設する。また、敷設区域において、音源物体Ｓの音紋情報の取得が不要となった場合は、センサ格納部１１Ｆからセンサアレイ部１２を切り離してセンサ敷設装置１０を回収し、回収されたセンサ敷設装置１０に新たなセンサアレイ部１２及びアンカー１３ａを装着して再利用可能することもできる。
【００７９】
以上説明したように、上述したセンサ敷設装置１０は、本体部１１と、センサアレイ部１２と、位置固定部１３とを備える自律型無人潜水機であり、任意の監視区域内で予め設定された固定目標位置まで移動してアンカー１３ａを着底及び固定した後、着底目標位置まで移動して本体部１１を水底に着底させることができるため、人的リスクを低減しつつ敷設位置に速やかに移動して精度良くセンサアレイ部１２を敷設することができ、またセンサアレイ部１２に故障が発生した場合でも容易に交換することができる。
【００８０】
さらに、流れの影響を受けにくい水底の所望の位置に敷設することができるため、長期間に亘って音源物体Ｓの音紋情報を取得でき、さらにセンサ敷設後はセンサアレイ部１２の移動が不要となるため、センサ敷設装置１０のエネルギー消費を減少させることができる。
【００８１】
また、上述した音源物体推定システム１は、センサ敷設装置１０を２式使用し、センサ敷設装置１０Ａの中心を通る仮想基準線Ｌ１と、センサ敷設装置１０Ｂの中心を通る仮想基準線Ｌ２とが交点Ｐを持つように、各センサ敷設装置１０Ａ、１０Ｂの本体部１１、センサアレイ部１２及びアンカー１３ａを水底に直線状に敷設し、この敷設状態において各センサアレイ部１２が取得した音源物体Ｓの音紋情報及び方位角情報と、位置情報取得部１１Ｂで取得される自己位置情報とを情報処理装置３０に送信する構成であるため、情報処理装置３０では音源物体Ｓの種類の推定と、音源物体Ｓの位置及び移動速度をパッシブ的に推定することができる。
【００８２】
さらに、センサアレイ部１２が直線状から比較的少ない誤差範囲でずれた場合やセンサ敷設装置１０の位置が目標とする着底目標位置に着底できなかった場合に、補正用音源３３ａから送信した補正用音波をセンサアレイ部１２に送信し、センサアレイ部１２がこの補正用音波を受信することで算出される補正用音源３３ａの推定位置情報と、ＧＰＳ受信部３３ｂで得られる補正用音源３３ａの真の自己位置情報とから、位置補正対象となる本体部１１の位置誤差を補正するための位置補正情報を取得し、この取得した位置補正情報を中継器２０を介してセンサ敷設装置１０に送信する機能を有する位置補正処理部３３が情報処理装置３０に具備されているため、センサアレイ部１２のずれや本体部１１の着底位置のずれを容易に補正することができる。
【符号の説明】
【００８３】
１…音源物体推定システム
１０（１０Ａ、１０Ｂ）…センサ敷設装置
１１…本体部（１１Ａ…推進部、１１Ｂ…位置情報取得部、１１Ｃ…浮力調整部、１１Ｄ…制御部、１１Ｅ…電源部、１１Ｆ…センサ格納部、１１Ｇ…通信部）
１２…センサアレイ部（１２ａ…ケーブル、１２ｂ…パッシブ型の音響センサ）
１３…位置固定部（１３ａ…アンカー、１３ｂ…支持部材）
２０…中継器
３０…情報処理装置
３１…通信部
３２…物体推定処理部
３３…位置補正処理部
Ｓ…音源物体
【要約】      （修正有）【課題】人的リスクを低減しながら任意の監視区域に迅速にセンサアレイを展開でき、さらに故障した場合なども容易に交換でき、また音源物体の方位情報及び音紋情報を長期間に亘って広範囲に取得して音源物体自体の推定及び音源物体の位置や速度を高精度で推定する音源物体推定システム及び方法を提供する。【解決手段】センサ敷設装置１０を２式使用し、センサ敷設装置１０の中心を通る仮想基準線と、他のセンサ敷設装置１０の中心を通る仮想基準線とが交点を持つように、各センサ敷設装置１０の本体部１１、センサアレイ部１２及びアンカー１３ａを水底に直線状に敷設し、この敷設状態で各センサアレイ部１２が取得した音源物体Ｓの音紋情報及び方位角情報と、位置情報取得部１１Ｂで取得される自己位置情報とを情報処理装置３０に送信することで、情報処理装置３０において音源物体の種類の推定と、音源物体の位置及び移動速度をパッシブ的に推定可能となる。【選択図】図１【図１】
0006014884.tif 000002
【図２】
0006014884.tif 000003
【図３】
0006014884.tif 000004
【図４】
0006014884.tif 000005